(57)【特許請求の範囲】
【請求項１】
被締結部材（１）に形成された角孔（２）に角根部（３ａ）が挿入された角根丸頭ボルト（３）を抜け止め状態に保持するために前記被締結部材（１）に嵌め込まれる間接活線作業用締結補助具（４）であって、
筒状に形成された本体（５）と、
間接活線操作棒（６）の工具取付部（６ａ）に固定するために前記本体（５）の一端側に形成される装着部（７）と、
前記被締結部材（１）に嵌め込むために前記本体（５）の他端側に形成される一対の第一割り溝（８）（８）と、
前記角根丸頭ボルト（３）の軸部（３ｂ）に嵌め込むために前記本体（５）の他端側に形成される第二割り溝（９）と、
前記被締結部材（１）の角孔（２）から前記角根丸頭ボルト（３）の角根部（３ａ）が脱落しないように前記頭部（３ｃ）を抜け止め状態に保持するために前記一対の第一割り溝（８）（８）間の内側部分に設定される頭押え部（１０）と、を備えたことを特徴とする間接活線作業用締結補助具。
【請求項２】
前記装着部（７）は、ツイストロック式の前記間接活線操作棒（６）の工具取付部（６ａ）に設けられた一対の係止ピン（６ｐ）（６ｐ）を挿入するために略Ｌ字状に形成されたガイド溝（７ａ）（７ａ）と、前記係止ピン（６ｐ）（６ｐ）を係止させるために前記ガイド溝（７ａ）（７ａ）のＬ字端に形成された係止凹部（７ｂ）と、からなることを特徴とする請求項１に記載の間接活線作業用締結補助具。
【発明の詳細な説明】
【技術分野】
【０００１】
本発明は、間接活線作業でボルト締結を行う際に補助的に使用される締結補助具に関する。
【背景技術】
【０００２】
間接活線作業で角根丸頭ボルトを締結する際に、電動工具等によってナットを締め付けるとボルトの抜け方向に押し力が作用するため、角根部（スクエアネック部）が被締結部材（板材）１に形成された角孔から脱落して空転することがないように、例えば、図４に示すように、絶縁ヤットコ１５（例えば、特許文献１参照）等の間接活線工具で角根丸頭ボルト３の頭部３ｃを押え付けて締結していた。
【０００３】
【特許文献１】特開平１１−２０５９２９号公報
【発明の開示】
【発明が解決しようとする課題】
【０００４】
しかし、上述のように、絶縁ヤットコ１５の把持アームで角根丸頭ボルト３の頭部３ｃを挟み付ける場合、金属同士の接触になるため滑りやすく、しっかりと固定状態を維持するのが難しかった。また、足場条件等によっては、絶縁ヤットコ１５を使用できない場合もあった。特に、把持部の角度を変更できないタイプの絶縁ヤットコでは、このような不具合がしばしば発生した。
【０００５】
本発明は、このような実情に鑑みてなされ、間接活線操作棒に固定して角根丸頭ボルトの頭部を安定な状態で確実に押さえ付けることができる間接活線作業用締結補助具を提供することを目的とする。
【課題を解決するための手段】
【０００６】
（１）本発明の間接活線作業用締結補助具は、被締結部材１に形成された角孔２に角根部３ａが挿入された角根丸頭ボルト３を抜け止め状態に保持するために前記被締結部材１に嵌め込まれる間接活線作業用締結補助具４であって、
筒状に形成された本体５と、
間接活線操作棒６の工具取付部６ａに固定するために前記本体５の一端側に形成される装着部７と、
前記被締結部材１に嵌め込むために前記本体５の他端側に形成される一対の第一割り溝８，８と、
前記角根丸頭ボルト３の軸部３ｂに嵌め込むために前記本体５の他端側に形成される第二割り溝９と、
前記被締結部材１の角孔２から前記角根丸頭ボルト３の角根部３ａが脱落しないように前記頭部３ｃを抜け止め状態に保持するために前記一対の第一割り溝８，８間の内側部分に設定される頭押え部１０と、を備えたことを特徴とする。
【０００７】
このような構成によれば、間接活線操作棒６の工具取付部６ａに、本体５の一端側に形成された装着部７を装着した状態にて、本体５の他端側に形成された一対の第一割り溝８，８を被締結部材１に、第二割り溝９を角根丸頭ボルト３の軸部３ｂに、それぞれ嵌め込み、第一割り溝８，８間の頭押え部１０で角根丸頭ボルト３の頭部３ｃを抜け止め状態に保持すれば、被締結部材１の角孔２から角根丸頭ボルト３の角根部３ａを脱落させることなく、角根丸頭ボルト３を回転不能な状態に保持することができる。このような状態で、電動工具等でナットを確実に締結することができる。
【０００８】
（２）前記装着部７は、ツイストロック式の前記間接活線操作棒６の工具取付部６ａに設けられた一対の係止ピン６ｐ，６ｐを挿入するために略Ｌ字状に形成されたガイド溝７ａ，７ａと、前記係止ピン６ｐ，６ｐを係止させるために前記ガイド溝７ａ，７ａのＬ字端に形成された係止凹部７ｂ，７ｂと、からなるものであってもよい。このようにすれば、本体５の一端側に形成された装着部７のガイド溝７ａ，７ａに、間接活線操作棒６の工具取付部６ａの係止ピン６ｐ，６ｐを挿入しツイストさせて該係止ピン６ｐ，６ｐを係止凹部７ｂ，７ｂに係入させ間接活線操作棒６に装着されているロックナットを締結することにより、間接活線作業用締結補助具を間接活線操作棒６の工具取付部６ａに固定することができる。
【発明の効果】
【０００９】
本発明の間接活線作業用締結補助具は、本体の他端側に形成された一対の第一割り溝を被締結部材に、第二割り溝を角根丸頭ボルトの軸部に、それぞれ嵌め込み、頭部を抜け止め状態に保持するために第一割り溝間の頭押え部で角根丸頭ボルトの頭部を抜け止め状態に保持すれば、被締結部材の角孔から角根丸頭ボルトの角根部を脱落させることなく、角根丸頭ボルトを回転不能な状態に保持することができ、このような状態で、電動工具等でナットを確実に締結することができる。
【発明を実施するための最良の形態】
【００１０】
以下に、本発明の最良の実施の形態に係る間接活線作業用締結補助具（以下、締結補助具という）について図面を参照しつつ詳細に説明する。
図１（ａ）は締結補助具の縦断面図、（ｂ）は平面図、図２（ａ）（ｂ）は締結補助具の使用状態の説明図、図３（ａ）は被締結部材が角根丸頭ボルトによって締結された状態を示す斜視図、（ｂ）は被締結部材に対する角根丸頭ボルトの組付対応図である。これらの図にて、符号１は、被締結部材で、断面が略コ字状に形成される板金材からなり、形鋼等からなる横置き部材１２に跨乗した状態に被嵌され、その両側部１ａ，１ａの下部に形成されたボルト挿通孔としての角孔２，２に挿通される角根丸頭ボルト３がナット３ｄによって締結されることで横置き部材１２に固定される（図３（ａ）参照）。
【００１１】
４は、締結補助具で、被締結部材１に形成された角孔２に角根部３ａが挿入された角根丸頭ボルト３を抜け止め状態に保持するために被締結部材１の一方の側部１ａに嵌め込まれる。５は、円筒状（又は角筒状）に形成された本体で、例えば、硬質樹脂材等からなる。７は、間接活線操作棒（共用操作棒）６のツイストロック式の工具取付部６ａに装着するために本体５の一端側に形成される装着部で、工具取付部６ａに突設された一対の係止ピン６ｐ，６ｐを挿入するために略Ｌ字状に形成されたガイド溝７ａ，７ａと、係止ピン６ｐ，６ｐを係止させるためにガイド溝７ａ，７ａのＬ字端に形成された係止凹部７ｂ，７ｂと、からなる。
【００１２】
８は、被締結部材１に嵌め込むために本体５の他端側に一対形成される第一割り溝、９は、角根丸頭ボルト３の軸部３ｂに嵌め込むために本体５の他端側に形成される第二割り溝である。１０は、被締結部材１の角孔２から角根丸頭ボルト３の角根部３ａが脱落しないように頭部３ｃを抜け止め状態に保持するために一対の第一割り溝８，８間の内側部分に設定される頭押え部である。１１は、間接活線操作棒６の弾発部材を内蔵した工具取付部６ａの先端部を当接させるために本体５に差し渡し形成されるストッパーである。
【００１３】
このような締結補助具４を用いて、電動工具１７等によって、被締結部材１を横置き部材１２に固定するには（図２（ａ）（ｂ）参照）、まず、装着部７のガイド溝７ａ，７ａに、間接活線操作棒６の工具取付部６ａの係止ピン６ｐ，６ｐを挿入して工具取付部６ａをストッパー１１に当接するまで押込んでツイストさせ、係止ピン６ｐ，６ｐを係止凹部７ｂ，７ｂに係入させることで、締結補助具を間接活線操作棒６の工具取付部６ａに固定する。
【００１４】
次いで、被締結部材１の角孔２，２に角根丸頭ボルト３を挿通させた状態にて、本体５の他端側に形成された一対の第一割り溝８，８を被締結部材１の下部に、第二割り溝９を角根丸頭ボルト３の軸部３ｂに、それぞれ嵌め込み、第一割り溝８，８間の頭押え部１０で角根丸頭ボルト３の頭部３ｃを抜け止め状態に保持させた状態として、電動工具１７等でナット３ｄを締結すれは、角根丸頭ボルト３を空転させることなく確実に締結することができる。
【００１５】
なお、本発明は、間接活線操作棒６を限定するものではなく、ツイストロック式の共用操作棒に限られることなく、例えば、絶縁ヤットコ等であってもよい。絶縁ヤットコを使用する場合は、ガイド溝７ａ，７ａ間の装着部７を把持アーム（工具取付部６ａ）によって把持すれば安定な固定状態が得られる。また、本発明は、実施の形態に限定されることなく、発明の要旨を逸脱しない限りにおいて、適宜、必要に応じて、設計変更や改良等を行うのは自由である。さらに、本発明は、締結補助具４の本体５の材質について特定するものではなく、硬質樹脂材の他、板金材であってもよい。
【図面の簡単な説明】
【００１６】
【図１】（ａ）は本発明の実施の形態に係る間接活線作業用締結補助具の断面図で、（ｂ）のＡ−Ａ線矢視断面、（ｂ）は平面図である。
【図２】（ａ）（ｂ）は間接活線作業用締結補助具の使用状態の説明図である。
【図３】（ａ）は角根丸頭ボルトによって締結された被締結部材の斜視図、（ｂ）は被締結部材に対する角根丸頭ボルトの組付対応図である。
【図４】従来の絶縁ヤットコで角根丸頭ボルトを固定している状態をの一例を示す斜視図である。
【符号の説明】
【００１７】
１…被締結部材、２…角孔、３…角根丸頭ボルト、３ａ…角根部、４…間接活線作業用締結補助具（締結補助具）、５…本体、６…間接活線操作棒、６ａ…工具取付部、６ｐ…係止ピン、７…装着部、７ａ…ガイド溝、７ｂ…係止凹部、８…第一割り溝、９…第二割り溝、１０…頭押え部
【図１】
0004519046.tif 000002
【図２】
0004519046.tif 000003
【図３】
0004519046.tif 000004
【図４】
0004519046.tif 000005